(57)【要約】【課題】ドリル等を用いた不正な穴開けなどを困難にし、また施錠機構に対するピッキングといった不正行為を効果的に防止することができる等の遊技機を提供する。【解決手段】前扉３の前面枠３０１の裏面側に配置される縦フレーム３１２に、キャビネット２の施錠金具２６、２７に係止する施錠機構３２０が設けられ、更に前面枠と縦フレームとの間に板金製の遮蔽部材１００が介装される。遮蔽部材は、施錠機構の主にカム部３２２を覆うカム遮蔽部１０１と、主に開閉フック３２７の前方に配置される舌片部１１１とを有して一体加工される。これにより、前方からの施錠機構に対するドリル等を用いた不正な穴開けやピッキングによる前扉の不正開放などの不正行為を防止する。【選択図】図４
2008237349.tif 000002
【特許請求の範囲】
【請求項１】
開口を有する矩形状のキャビネットと、該キャビネットに対し開閉可能であり前記開口を閉塞する位置に施錠される前扉とを備え、
該前扉を貫通して外部に露出する鍵穴を有するシリンダ錠と、前記鍵穴への所定のキー操作で回動するカム部を介してスライド動作する連結杆と、該連結杆に連結し前記キャビネットに固定されている施錠金具に係止及び離脱する開閉フックとを備えてなる施錠機構が設けられた金属フレームが、当該前扉の前面枠の裏面側に配置されている遊技機であって、
前記金属フレームと前記前面枠との間に前記施錠機構の少なくとも前記カム部を覆う板金製の遮蔽部材を介装したことを特徴とする遊技機。
【発明の詳細な説明】
【技術分野】
【０００１】
本発明は、開口を有するキャビネットを前扉が閉塞してなる遊技機に関し、特に、前扉を施錠する施錠機構への不正対策が施された遊技機に関する。
【背景技術】
【０００２】
従来、遊技店舗に数多く設置される遊技機としてスロットマシンが知られている。一般的なスロットマシンは、遊技者が遊技媒体としてのメダルを投入することでゲームが開始し、回転するリールを遊技者がタイミングを見ながら停止操作して所定の図柄をラインに揃えることにより入賞が成立する。入賞が成立すると、遊技媒体払出装置であるメダル払出装置（ホッパー装置）が作動して、当該入賞の種類に応じた枚数のメダルが払い出される。
【０００３】
かかるスロットマシンにおいては、筐体内に設けられる主制御基板といわれるマイコンベースの制御基板が入賞の内部的な抽選やメダルの払い出し等の制御を行うため、これら主制御基板やメダル払出装置等は、メダルを不正に取得しようとする不正行為者による不正操作の対象とされていた。
【０００４】
このため、従来のスロットマシンにおいては、箱状のキャビネットの開口を前扉が閉塞して施錠されることで外部からの不正な侵入を防止するようにしている。すなわち、前扉を構成するプラスチック製の前面枠の裏面側に配置される補強用の金属プレートに、所定のキー操作によってのみ解錠される施錠機構が設けられている（例えば特許文献１参照）。
【０００５】
【特許文献１】特開２００６−２０９２７号公報
【発明の開示】
【発明が解決しようとする課題】
【０００６】
ところで、近年では、不正行為者がドリル等を用いて遊技機の例えば前扉に穴を開け、内部に不正に侵入させた針金等で施錠機構をピッキングして前扉を不正に開放するなどのゴト行為（不正行為）が問題となっている。
【０００７】
本発明は、こうした従来の問題に鑑みてなされたものであり、ドリル等を用いた不正な穴開けなどを困難にし、また施錠機構に対するピッキングといった不正行為を効果的に防止することができる等の遊技機を提供することを目的としている。
【課題を解決するための手段】
【０００８】
上述した課題を解決するため、請求項１に記載の発明は、開口を有する矩形状のキャビネット（２）と、該キャビネットに対し開閉可能であり前記開口を閉塞する位置に施錠される前扉（３）とを備え、該前扉を貫通して外部に露出する鍵穴（８）を有するシリンダ錠（３２１）と、前記鍵穴への所定のキー操作で回動するカム部（３２２）を介してスライド動作する連結杆（３２５）と、該連結杆に連結し前記キャビネットに固定されている施錠金具（２６、２７）に係止及び離脱する開閉フック（３２６、３２７）とを備えてなる施錠機構（３２０）が設けられた金属フレーム（例えば縦フレーム３１２）が、当該前扉の前面枠（３０１）の裏面側に配置されている遊技機（例えばスロットマシン１）であって、前記金属フレームと前記前面枠との間に前記施錠機構の少なくとも前記カム部を覆う板金製の遮蔽部材（１００）を介装したことを特徴とする。
【０００９】
請求項１に記載の遊技機によれば、前扉の前面枠に介装した遮蔽部材が施錠機構の少なくともカム部の前方を覆うため、カム部を前方から不正に操作することを防止する。また、遮蔽部材を板金で形成することで、施錠機構に対するドリル等を用いた不正な穴開けを困難にする。
【発明の効果】
【００１０】
本発明の遊技機によれば、施錠機構が設けられる金属フレームと、金属フレームが配置される前扉の前面枠との間に板金製の遮蔽部材を介装した。遮蔽部材が施錠機構の少なくともカム部の前方を覆うことで、カム部を不正に操作して前扉を解錠させる等の不正行為を効果的に防止することができる。また、遮蔽部材を比較的硬質の板金で形成したため、施錠機構に対するドリル等を用いた不正な穴開けを困難にする。
【発明を実施するための最良の形態】
【００１１】
以下、本発明に係る遊技機の好適な実施形態としてスロットマシンを例に図面を参照して説明する。ここで、図１は、本発明の一つの実施形態によるスロットマシン１の外観構造を表した正面図、図２は、図１に示したスロットマシン１の前扉３を取り外した状態でのキャビネット２の内部構造を表した正面図、図３は、図１に示したスロットマシン１の前扉３の裏面側構造を表した背面図である。
【００１２】
まず、スロットマシン１の基本的な構成を説明する。スロットマシン１は、前面側に開口を有する矩形箱状のキャビネット２と、当該キャビネット２に開閉可能に取り付けられる前扉３とからなる筐体を備えている。通常時においては、前扉３がキャビネット２に対しその開口を閉塞した状態で施錠されている。
【００１３】
前扉３の前面側には、遊技者に面する化粧板としてのいわゆるフロントマスクが形成されている。フロントマスクの上段部には、ゲームのキャラクター等のアニメーション画像を表示して、内部当たりの告知や入賞を演出するための液晶表示装置７が配設されている。また、ゲームの進行に応じて点灯及び点滅する光により演出する上部ランプ５ａと、スピーカを内蔵し楽音や効果音によりゲームを演出する上下左右の放音部６ａ、６ｂ、６ｃ、６ｄとが配設されている。
【００１４】
フロントマスクの中段部には、平坦な樹脂板からなる中パネル９が設けられ、中パネル９の中央に形成された四角形の透明領域である表示窓９ａを介して、キャビネット２内部の３個のリール１０ａ、１０ｂ、１０ｃが目視される。なお、各リール１０ａ、１０ｂ、１０ｃはそれぞれ独立して回転可能であり、それぞれの外周面に描かれた縦３個、横３列の図柄（図示略）が、表示窓９ａを介して変動表示されるようになっている。また、中パネル９の左右には光による演出を行うサイドランプ５ｂ、５ｃが設けられている。
【００１５】
中パネル９の下方には、前方に若干突出する卓状の操作卓が形成されている。この操作卓には、ゲームに賭けるメダルを投入するためのメダル投入部１１と、ゲーム開始を指示するベットボタン１２と、リール１０ａ、１０ｂ、１０ｃの回転開始を指示するスタートレバー１３と、各リール１０ａ、１０ｂ、１０ｃの回転停止を指示するストップボタン１４ａ、１４ｂ、１４ｃ等がそれぞれ所定の位置に配設されている。また、操作卓に向かって右側端部には、前扉３を開放するときに所定の鍵が挿入され後述の施錠機構３２０を解錠操作するための鍵穴８が露出して設けられている。
【００１６】
フロントマスクの下方部には、スロットマシン１のモデルタイプ等を遊技者へ認識させるための、例えば登場キャラクターの絵柄（図示略）などが印刷された略四角形のプラスチック板である下パネル１５が取り付けられている。
【００１７】
フロントマスクの最下部には、入賞等の際にメダルを払い出すメダル払出口１６と、メダル払出口１６から払い出されたメダルを貯留するための受け皿４ａとが形成された受け皿部材４が取り付けられている。また、受け皿部材４には、ゲームの演出効果音を発生させるスピーカを内蔵する放音部１７ａ、１７ｂがそれぞれ左右位置に形成されている。
【００１８】
次に、主に図２を参照して、スロットマシン１のキャビネット２の内部構造を説明する。上述したようにキャビネット２は、前面側に開口を有する合成木板からなる矩形の箱体として形成されている。
【００１９】
キャビネット２内の上部位置には、スロットマシン１の全体を統括制御するマイコンベースの主制御基板２１が、互いに対向する透明なケース部材に収容されて設けられている。主制御基板２１を収容するこのケース部材は、カシメと呼ばれる特殊な封止手段を介して閉塞され、キャビネット２の背板の内側面に離脱不能に固定されている。
【００２０】
また、キャビネット２内のほぼ中央には、３個のリール１０ａ、１０ｂ、１０ｃを軸方向に並設してユニット化したリール装置１０が、表示窓９ａに対向して所定のフレームに固定されている。なお、リール装置１０の天板部には図示しない回胴装置基板が取り付けられ、主制御基板２１からの駆動パルス信号を中継し電流増幅して各リール１０ａ、１０ｂ、１０ｃに直結するステッピングモータに出力している。これにより、リール１０ａ、１０ｂ、１０ｃの回転及び停止の動作が主制御基板２１により制御される。
【００２１】
リール装置１０の下方には、メダル払出装置２４が設置されている。メダル払出装置２４は、複数枚のメダルを貯留可能な概略椀状のホッパー部２４１と、ホッパー部２４１の下方に連結する払出機構部２４２等を備えている。払出機構部２４２の板金ケース内には、ホッパー部２４１に貯留したメダルを保持する穴が円周に沿って形成された図示しない払出プレートが備えられている。メダル払出装置２４は、払出プレートを回転させることで、保持したメダルをスリット２４ａから付勢して外部に放出し、これにより受け皿４ａにメダルを払い出すようにしている。
また、メダル払出装置２４に隣接して、スロットマシン１に内蔵される各機器へ所要の電力を配電する電源装置２５が設置されている。
【００２２】
図２に示されるキャビネット２の右側の側板には、上下一対の板金のプレート部材からなる施錠金具２６、２７が、キャビネット２の中心に向けて固定されている。また、キャビネット２の側板で施錠金具２７よりも下方の位置には、略水平の上面を有する同じく板金部材からなる案内金具２８が固定されている。
【００２３】
次に、主に図３を参照して、前扉３の裏面側構造を説明する。なお、前扉３は、比較的硬質のプラスチックで上述のフロントマスクが一体形成された前面枠３０１の裏面側に、それぞれ長尺の板金部材からなる横フレーム３１１及び縦フレーム３１２、３１３がボルトで固定されている。
【００２４】
図３に示される前面枠３０１の裏面側の右端に配置される縦フレーム３１３には、ヒンジ機構である開閉支持機構４１、４２の一端側が取り付けられる。開閉支持機構４１、４２の各他端側は、キャビネット２の開口端部に固定され、これにより、前扉３がキャビネット２に対して回動開閉可能に支持される。
【００２５】
また、前面枠３０１の裏面側の左端に配置される縦フレーム３１２には施錠機構３２０が設けられている。施錠機構３２０は、前扉３をキャビネット２側に閉じると、後述する開閉フック３２６、３２７が上述の施錠金具２６、２７（図２参照）に係止して自動的にこれらを施錠する。また、施錠機構３２０は、鍵穴８に挿入された所定の鍵で解錠操作されると、開閉フック３２６、３２７が開位置に揺動し、施錠金具２６、２７から離脱して、前扉３の開放を許すようにしている。
【００２６】
前扉３の裏面側上部、つまり液晶表示装置７（図１参照）の裏面側にあたる位置には、画像制御基板３２と、当該画像制御基板３２の後方にサブ制御基板３１とが、それぞれ透明なケース部材に収容されて設けられている。また、前面側の放音部６ａ、６ｂに対向するスピーカ４３並びに放音部６ｃ、６ｄに対向するスピーカ４４がそれぞれ所定位置に取り付けられている。
【００２７】
なお、サブ制御基板３１は、主制御基板２１の制御下で、ゲームの進行に応じて上述の画像制御基板３２に演出画像データを出力し、画像制御基板３２がこれに基づきビデオ信号に変換して液晶表示装置７に演出映像を表示させる演出画像表示制御を行っている。また、サブ制御基板３１は、ゲームの進行に応じて上部ランプ５ａやサイドランプ５ｂ、５ｃ等を点灯・点滅させるとともに、スピーカ４３、４４等に効果音や楽音等を鳴動させる等の光や音によるゲームの演出制御も行っている。
【００２８】
前扉３の裏面側で上述の表示窓９ａの周囲左右位置には、点灯することにより前面側の絵柄を明るく表示して、種々の遊技情報を告知する複数個の白熱ランプ３４、３５が取り付けられている。また、表示窓９ａの上方位置には、リール１０ａ、１０ｂ、１０ｃの図柄を照明するための冷陰極蛍光管を備えた蛍光灯ユニット３７が配置され、表示窓９ａの下方位置には、前面側のベットボタン１２、スタートレバー１３、ストップボタン１４ａ、１４ｂ、１４ｃ等の操作スイッチ類の出力信号を主制御基板２１へ転送する中継基板である中央表示基板３６が配置されている。
【００２９】
メダル投入部１１（図１参照）の下方にあたる位置には、遊技媒体選別装置としてのメダルセレクタ３８が取り付けられている。メダルセレクタ３８は、メダル投入部１１に投入されたメダルが正規のものであると判定すると、メダルガイド部３８１側にメダルを通過させるとともに、光センサである内部のメダルセンサがメダルを検出して、主制御基板２１へその投入信号を出力する。なお、メダルガイド部３８１は、メダルセレクタ３８が正規のものと選別したメダルをメダル払出装置２４のホッパー部２４１に案内して貯留させる。
【００３０】
メダルセレクタ３８の下方には、キャンセルシュート３９１及び払出シュート３９２がプラスチックで一体成形された中空のシュート部材３９が取り付けられている。キャンセルシュート３９１は、メダルセレクタ３８の後部３８ａの下方に位置し、メダルセレクタ３８が排除し落下させた不適なメダル等をメダル払出口１６に案内する。一方、払出シュート３９２の背面には、メダル払出装置２４のスリット２４ａと位置整合するメダル受容口３９２ａが開口形成されている。すなわち、メダル払出装置２４は、スリット２４ａに対向するメダル受容口３９２ａを通して払出シュート３９２内にメダルを放出し、放出されたメダルが払出シュート３９２内の中空の通路に導かれて前面側のメダル払出口１６から受け皿４ａに払い出されるようになっている。また、前扉３の裏面側下方部には、放音部１７ａ、１７ｂ（図１参照）に対向する位置にスピーカ４５、４６がその振動板を前面に臨ませて取り付けられている。
【００３１】
かかるスロットマシン１は、キャビネット２内に設置されている主制御基板２１によりゲーム動作が制御される。すなわち、スロットマシン１は、先のゲームにおいて入賞しメダルの払い出しを完了させた時、または先のゲームにおいてハズレが確定すると待機状態となる。この状態において、遊技者がベットボタン１２を押圧操作することにより、内部に貯留したメダル（クレジット）から当該ゲームにメダルが賭けられゲームが開始する。このゲーム開始の状態でスタートレバー１３が傾倒操作されると、主制御基板２１は、リール１０ａ、１０ｂ、１０ｃを一斉に回転させると同時に、表示窓９ａに設定される有効ラインに引き込み停止制御可能な図柄の組み合せ、すなわち入賞を内部抽選する。
【００３２】
この内部抽選により何れかの入賞を当選したとき、その結果が主制御基板２１のＲＡＭの所定記憶領域に設定される内部当選フラグにセットされる。なお、この内部当選フラグがセットされ入賞が内定している状態を「内部当選状態」という。
【００３３】
次に、主制御基板２１は、ストップボタン１４ａ、１４ｂ、１４ｃが押圧操作されるに応じて対応するリールを順に停止させる。そして、主制御基板２１は、全てのリール１０ａ、１０ｂ、１０ｃが停止したのを検知した後、各リールが有効ラインに表示する図柄の組み合せと、上述の内部当選フラグで参照される当選した入賞に係る図柄の組み合せとが一致するか否か判定する。そして、何れかの有効ラインにおいて図柄が一致したとき当該入賞が確定し、配当されるメダルの数だけクレジットが加算される。また、配当された結果、クレジットがその上限を超える場合には、主制御基板２１は後述するメダル払出装置２４を作動させ、クレジットの上限を超える枚数分のメダルをメダル払出口１６より受け皿４ａへ払い出している。
【００３４】
このように、スロットマシン１の遊技者は、リール１０ａ、１０ｂ、１０ｃを回転・停止させる遊技操作を行って変動表示した図柄が揃わなければ賭けたメダルを失うが、内部当選した組み合せで図柄を揃えることにより入賞が成立し賭けた以上のメダルを獲得し得るので、技量と運によりメダルを増やすという興趣を伴ったゲームを楽しむことができる。
【００３５】
次に、本発明に関わる特徴部分である不正防止対策が講じられた施錠機構３２０を説明する。ここで、図４は前扉３の縦フレーム３１２に設けられる施錠機構３２０とその周辺部分の分解斜視図、図５は施錠機構３２０が設けられる縦フレーム３１２を斜め前方から見た場合の斜視図、図６は縦フレーム３１２を斜め後方から見た場合の斜視図、図７は縦フレーム３１２の正面図である。
【００３６】
主に図４に示すように、縦フレーム３１２は、施錠機構３２０の主としてカム部３２２を覆う遮蔽部材１００を介装させて前扉３の前面枠３０１の裏面側に固定されている。はじめに、この縦フレーム３１２及び施錠機構３２０について詳細に説明する。
【００３７】
縦フレーム３１２の本体は、板金加工により断面略Ｌ字状に屈曲させて形成した長尺状の金属部材であって、前面側の取付面部３１２１と、開閉フック３２６、３２７及び連結杆３２５を支持する支持面部３１２２とを主に備えている。
【００３８】
取付面部３１２１には、当該縦フレーム３１２を前面枠３０１に取り付けるためのボルトが挿通される複数の孔３１２１ａ、３１２１ｂ、３１２１ｃ、３１２１ｄ、３１２１ｅが穿設されている。連結杆３２５は、支持面部３１２２の長手方向（上下方向）に沿ってスライド移動可能に支持され、支持面部３１２２の上部及び下部の所定位置に回動可能に支持される開閉フック３２６、３２７が、連結杆３２５にそれぞれ連結している。すなわち、連結杆３２５の上下移動に連動して、開閉フック３２６、３２７が各開閉位置に揺動するように構成されている。
【００３９】
シリンダ錠３２１は、その基端部が取付面部３１２１の図示しない丸孔に嵌合し、前記基端部の一部が拡径するフランジ部３２１ａを固定部３２４が挟持するようにして取付面部３１２１に固定されている。また、取付面部３１２１の裏面側には、シリンダ錠３２１のキー操作で回動する図示しないカム板が連結杆３２５に係合し、これによりカム部３２２が構成されている。なお、カム部３２２は、取付面部３１２１の裏面側に設けられるカムカバー３２２１によって特に裏面側からの不正なアクセスに対し保護されている（図１１参照）。
【００４０】
施錠機構３２０は、常時は開閉フック３２６、３２７が略水平でキャビネット２側の施錠金具２６、２７にそれぞれ係止する施錠状態にある。そして、前扉３を開放するときには、鍵穴８への通常右回しのキー操作により連結杆３２５が上方にスライド移動し、これに連動して開閉フック３２６、３２７が開位置に揺動し施錠金具２６、２７から離脱することで解錠状態となる。
【００４１】
連結杆３２５が上方へ不正にスライド操作されると、シリンダ錠３２１への所定のキー操作とは無関係に開閉フック３２６、３２７が押し下げられて解錠状態となってしまう。このため、縦フレーム３１２には、連結杆３２５を覆い囲むように連結杆カバー３２３が設けられている。すなわち、連結杆カバー３２３は、支持面部３１２２に対向し連結杆３２５を内側にスライド可能に覆うカバー部３２３１と、カバー部３２３１の前端部分が複数箇所で折れる屈曲片部３２３２ａ、３２３２ｂ、３２３２ｃ、３２３２ｄとを有して一体形成される板金部材であり、屈曲片部３２３２ｂが取付面部３１２１にネジ止めされて縦フレーム３１２に固定されている。
【００４２】
また、取付面部３１２１の裏面側でシリンダ錠３２１の下方位置には、連結杆３２５に連結して逆方向に上下動する遮光板３２５１と、遮光板３２５１を検出してオンオフ動作するフォトセンサである開閉スイッチ３２９が設けられている。すなわち、通常時において開閉フック３２６、３２７が略水平の施錠状態にあるときには、遮光板３２５１が図６に示す上位置にあり開閉スイッチ３２９が作動（オン）している。上述の解錠操作がされ開閉フック３２６、３２７が開位置に揺動した解錠状態では、遮光板３２５１が下位置に移動し開閉スイッチ３２９が遮光されて非作動（オフ）となる。これにより、施錠機構３２０の解錠操作及び前扉３の開放を電気的に検出している。
【００４３】
更に、取付面部３１２１の裏面側には、回転ローラ３２８が回転自在に軸支されている（図６参照）。この回転ローラ３２８は、キャビネット２側の案内金具２８の上面を転動することにより、前扉３をキャビネット２の所定の位置に精度良く案内して閉塞させる。
【００４４】
次に、施錠機構３２０の前方に配置される遮蔽部材１００の具体的な形態を図８の斜視図を参照して説明する。本実施形態による遮蔽部材１００は、主にカム部３２２の前方を覆うカム遮蔽部１０１と、主に開閉フック３２７の前方側に配置される舌片部１１１とを有して硬質の金属板により一体的に板金形成される。
【００４５】
詳述すると、カム遮蔽部１０１は、カム部３２２に対向する前面壁１０１ａと、前面壁１０１ａの上縁、側縁及び下縁で直角に屈曲する上面壁１０１ｂ、側面壁１０１ｃ及び下面壁１０１ｄをそれぞれ有し、前扉３の中心方向側のみが開放している。前面壁１０１ａには、前扉３の前面枠３０１に取り付ける際の位置合わせピン３０２、３０３及びネジ３３０が挿通される複数の孔１０２、１０３、１０４が穿設されている。また、上述の下パネル１５の取付爪と干渉する位置には、四角形の逃げ孔１０９が打ち抜かれて形成されている。また、側面壁１０１ｃと前面壁１０１ａには、シリンダ錠３２１の本体の一部を挿通させる切り欠き１０５が形成されている。なお、舌片部１１１は、下面壁１０１ｄに対して直交し前面壁１０１ａに対しては平行するように形成されている。
【００４６】
施錠機構３２０が設けられた縦フレーム３１２は、遮蔽部材１００とともに次のようにして前扉３の前面枠３０１に取り付けられる。例えば図９に示すように、前面枠３０１の裏面側には、遮蔽部材１００を取り付けるための位置合わせピン３０２、３０３と、ネジ部３０４が所定の位置に設けられている。また、前面枠３０１には、シリンダ錠３２１を裏面側から挿通させて鍵穴８を外部に臨ませる丸孔３０５と、下パネル１５の裏面側に形成される取付爪を嵌着させるためのパネル嵌着孔３０９などが形成されている。
【００４７】
図１０に示すように、遮蔽部材１００は、前面壁１０１ａの孔１０２、１０３に位置合わせピン３０２、３０３を挿通させることで、取り付け位置の位置合わせが行われる。このとき、ネジ部３０４と孔１０４、パネル嵌着孔３０９と逃げ孔１０９並びにシリンダ錠３２１を挿通させる切り欠き１０５と丸孔３０５が位置整合する。そして、孔１０４に挿通させたネジ３３０をネジ部３０４に螺入し緊締することで、遮蔽部材１００が前面枠３０１の裏面側に固定される。
【００４８】
そして、図１１に示すように、縦フレーム３１２の取付面部３１２１を前面枠３０１の裏面側所定位置に図示しないボルトを介して取り付けると、施錠機構３２０のカム部３２２及びカム部３２２に係合する連結杆３２５の一部が、これらの前方に配置される遮蔽部材１００の前面壁１０１ａで遮蔽され、その下方の開閉スイッチ３２９及び開閉フック３２７が舌片部１１１で遮蔽される。このように、遮蔽部材１００のカム遮蔽部１０１が、施錠機構３２０の主にカム部３２２を前方、上下及び側方をそれぞれ覆うように遮蔽するため、各方向からのカム部３２２への不正操作ないしはピッキング等を効果的に防止することができる。
【００４９】
また、開閉スイッチ３２９及び開閉フック３２７がこれらの前方に配置される遮蔽部材１００の舌片部１１１で遮蔽されるので、前方からの不正な侵入により開閉スイッチ３２９を誤作動させたり、開閉フック３２７を強制的に押し下げて解錠させる等の不正行為を効果的に防止することができる。更には、遮蔽部材１００を硬質の板金部材で形成することで、例えば鍵穴８の周辺をドリル等を用いて穴を貫通させて行うような行為を極めて困難にし、不正を防止することができる。
【００５０】
以上説明したように、本実施形態のスロットマシン１によれば、板金部材からなる遮蔽部材１００を介装させて、施錠機構３２０が設けられる縦フレーム３１２を前面枠３０１に配置するようにした。遮蔽部材１００のカム遮蔽部１０１が施錠機構３２０のカム部３２２の前方を覆うことで、カム部３２２に対する不正操作またはピッキング等を効果的に防止することができる。また、遮蔽部材１００の舌片部１１１が施錠機構３２０の開閉スイッチ３２９及び開閉フック３２７の前方に配置されることで、開閉スイッチ３２９の不正作動や、開閉フック３２７を不正に押し下げる等の不正な解錠操作を効果的に防止することができる。また、遮蔽部材１００を硬質の板金部材で形成したので、ピッキング等を目的として鍵穴８の周辺にドリルで穴を開けるような不正なアクセス及び侵入を極めて困難にすることができる。
【産業上の利用可能性】
【００５１】
本発明は、スロットマシンに限らず、筐体構造を備える一般的な遊技機においても広く応用され得る。
【図面の簡単な説明】
【００５２】
【図１】本発明の実施形態によるスロットマシンの正面図である。
【図２】図１に示したスロットマシンのキャビネットの内部構造を表した正面図である。
【図３】図１に示したスロットマシンの前扉の裏面側構造を表した背面図である。
【図４】図１に示したスロットマシンの前扉の裏面側構造を表した分解斜視図である。
【図５】本発明の実施形態による縦フレームを斜め前方から見た場合の斜視図である。
【図６】本発明の実施形態による縦フレームを斜め後方から見た場合の斜視図である。
【図７】本発明の実施形態による縦フレームの正面図である。
【図８】本発明の実施形態による遮蔽部材の各斜視図である。
【図９】図１に示したスロットマシンの前扉の背面図であり、遮蔽部材及び遮蔽部材が取り付けられる部分の前面枠の裏面側構造を表した図である。
【図１０】図１に示したスロットマシンの前扉の背面図であり、遮蔽部材が取り付けられた状態での裏面側構造を表した図である。
【図１１】図１に示したスロットマシンの前扉の背面図であり、縦フレームが取り付けられた状態での裏面側構造を表した図である。
【符号の説明】
【００５３】
１…スロットマシン                        ２…キャビネット
３…前扉                                  ４…受け皿部材
４ａ…受け皿                              ５ａ…上部ランプ
５ｂ、５ｃ…サイドランプ                  ６ａ、６ｂ、６ｃ、６ｄ…放音部
７…液晶表示装置                          ８…鍵穴
９…中パネル                              ９ａ…表示窓
１０…リール装置                          １０ａ、１０ｂ、１０ｃ…リール
１１…メダル投入部                        １２…ベットボタン
１３…スタートレバー                      １４ａ、１４ｂ、１４ｃ…ストップボタン
１５…下パネル                            １６…メダル払出口
１７ａ、１７ｂ…放音部                    ２１…主制御基板
２４…メダル払出装置                      ２４ａ…スリット
２５…電源装置                            ２６、２７…施錠金具
２８…案内金具                            ３１…サブ制御基板
３２…画像制御基板                        ３４、３５…白熱ランプ
３６…中央表示基板                        ３７…蛍光灯ユニット
３８…メダルセレクタ                      ３９…シュート部材
４１、４２…開閉支持機構                  ４３、４４、４５、４６…スピーカ
１００…遮蔽部材                          １０１…カム遮蔽部
１０１ａ…前面壁                          １０１ｂ…上面壁
１０１ｃ…側面壁                          １０１ｄ…下面壁
１０２、１０３、１０４…孔                １０５…切り欠き
１０９…逃げ孔                            １１１…舌片部
２４１…ホッパー部                        ２４２…払出機構部
３０１…前面枠                            ３０２、３０３…位置合わせピン
３０４…ネジ部                            ３０５…丸孔
３０９…パネル嵌着孔                      ３１１…横フレーム
３１２、３１３…縦フレーム                ３２０…施錠機構
３２１…シリンダ錠                        ３２２…カム部
３２３…連結杆カバー                      ３２４…固定部
３２５…連結杆                            ３２６、３２７…開閉フック
３２８…回転ローラ                        ３２９…開閉スイッチ
３３０…ネジ                              ３８１…メダルガイド部
３９１…キャンセルシュート                ３９２…払出シュート
３１２１…取付面部                        ３１２２…支持面部
３２２１…カムカバー                      ３２３１…カバー部
３２５１…遮光板
【図１】
2008237349.tif 000003
【図２】
2008237349.tif 000004
【図３】
2008237349.tif 000005
【図４】
2008237349.tif 000006
【図５】
2008237349.tif 000007
【図６】
2008237349.tif 000008
【図７】
2008237349.tif 000009
【図８】
2008237349.tif 000010
【図９】
2008237349.tif 000011
【図１０】
2008237349.tif 000012
【図１１】
2008237349.tif 000013